(57)【要約】【課題】  使用者にとって使い勝手のよい撮像装置を提供する。【解決手段】  被写体を撮像して画像データを出力する撮像部を収納する筐体と、前記筐体に設けられ、第１方向に向けられた第１表示面を有する第１表示部と、前記筐体に設けられ、前記第１方向とは異なる第２方向に向けられた第２表示面を有する第２表示部と、所定面からの前記筐体の高さを検出する高さ検出部と、前記高さ検出部が検出した前記高さに応じて、前記撮像部から出力された画像データに基づく画像を前記第１表示部および前記第２表示部の少なくとも一方に表示する制御部とを備える。【選択図】  図１
2010200272.tif 000002
【特許請求の範囲】
【請求項１】
被写体を撮像して画像データを出力する撮像部を収納する筐体と、
前記筐体に設けられ、第１方向に向けられた第１表示面を有する第１表示部と、
前記筐体に設けられ、前記第１方向とは異なる第２方向に向けられた第２表示面を有する第２表示部と、
所定面からの前記筐体の高さを検出する高さ検出部と、
前記高さ検出部が検出した前記高さに応じて、前記撮像部から出力された画像データに基づく画像を前記第１表示部および前記第２表示部の少なくとも一方に表示する制御部とを備えること  
を特徴とする撮像装置。
【請求項２】
請求項１に記載の撮像装置において、
前記第１表示面は、前記撮像部に前記被写体からの光を導く光学系の光軸に直交する面であり、
前記第２表示面は、前記光軸に直交する面に対して略直交する面であることを特徴とする撮像装置。
【請求項３】
請求項２に記載の撮像装置において、
前記制御部は、前記高さ検出部が検出した前記高さが所定の高さ以上である場合には前記画像を第１表示部に表示し、前記高さ検出部が検出した前記高さが前記所定の高さよりも低い場合は前記画像を前記第２表示部に表示すること
を特徴とする撮像装置。
【請求項４】
請求項３に記載の撮像装置において、
前記高さ検出部が検出した前記高さが所定の高さ以上である場合には、前記制御部は撮影に関する撮影情報を表示する第１表示形態で前記第２表示部に表示し、前記高さ検出部が検出した前記高さが前記所定の高さよりも低い場合には、前記画像を表示する第２表示形態で前記第２表示部に表示すること  
を特徴とする撮像装置。
【請求項５】
請求項４に記載の撮像装置において、
前記第１表示形態と前記第２表示形態との切り替えを使用者が指示する指示部をさらに備えること
を特徴とする撮像装置。
【請求項６】
請求項５に記載の撮像装置において、
前記指示部は、前記第２表示部が配置される面に設けられていること  
を特徴とする撮像装置。
【請求項７】
請求項１から請求項６のいずれか一項に記載の撮像装置において、
前記高さ検出部により前記高さが検出されない場合には、前記制御部は前記画像を前記第１表示部に表示すること
を特徴とする撮像装置。
【請求項８】
請求項１から請求項７のいずれか一項に記載の撮像装置において、
前記光軸を含む垂直な垂直面と前記光軸に直交する直交面とに交わり、前記垂直面の下方に向いた面を通る線を利用して所定面までの距離を算出する距離算出部と、
前記筐体の姿勢を検出する姿勢検出部と、
前記距離算出部が算出した前記距離を前記姿勢検出部が検出した前記姿勢に基づいて補正する補正部とを備え、
前記高さ検出部は、前記距離算出部が算出した前記距離を前記姿勢検出部が検出した前記姿勢に基づいて前記補正部が補正した距離を、所定面からの前記筐体の高さとして検出すること
を特徴とする撮像装置。
【発明の詳細な説明】
【技術分野】
【０００１】
本発明は、撮像装置に関する。
【背景技術】
【０００２】
撮影された画像が液晶パネルにスルー画像として表示されるデジタルカメラが知られている（特許文献１）。
【先行技術文献】
【特許文献】
【０００３】
【特許文献１】特開２００５−１２４０４５号公報
【発明の概要】
【発明が解決しようとする課題】
【０００４】
しかしながら、撮影する際の構図によっては液晶パネルに表示されたスルー画像は見づらくなるという問題があった。
【０００５】
本発明の目定は、使用者にとって使い勝手のよい撮像装置を提供することである。
【課題を解決するための手段】
【０００６】
本発明はこのような課題を解決するためになされたもので、
被写体を撮像して画像データを出力する撮像部を収納する筐体と、
前記筐体に設けられ、第１方向に向けられた第１表示面を有する第１表示部と、
前記筐体に設けられ、前記第１方向とは異なる第２方向に向けられた第２表示面を有する第２表示部と、
所定面からの前記筐体の高さを検出する高さ検出部と、
前記高さ検出部が検出した前記高さに応じて、前記撮像部から出力された画像データに基づく画像を前記第１表示部および前記第２表示部の少なくとも一方に表示する制御部とを備えて、撮像装置を構成した。
【発明の効果】
【０００７】
本発明によれば、使用者にとって使い勝手のよい撮像装置を提供することができる。
【図面の簡単な説明】
【０００８】
【図１】本発明の最良の実施の形態によるデジタルカメラの構成の概略を示すブロック図である。
【図２】図１に示すデジタルカメラの上面図である。
【図３】図２に示す上面表示パネルの画面に撮影情報を表示している図である。
【図４】図２に示す上面表示パネルの画面に撮像素子により撮像された画像および撮影情報を表示している図である。
【図５】図１に示すデジタルカメラの算出部がデジタルカメラの地面に対する高さを算出する場合におけるデジタルカメラの側面図である。
【図６】図１に示すデジタルカメラの制御部が撮像素子により撮像された画像をどの表示部に表示するかを決定する処理の概略を示すフローチャートである。
【発明を実施するための形態】
【０００９】
本発明によるデジタルカメラの最良の実施の形態について説明する。
【００１０】
図１は、この最良の実施の形態によるデジタルカメラ１の構成の概略を示すブロック図である。
【００１１】
デジタルカメラ１は、交換レンズユニット２と筐体３とから構成されている。筐体３の外側には、シャッターボタン９や後述する表示切り替えボタン３４といった操作部材や、ＴＦＴ（Thin Film Transistor）液晶からなる背面モニタ１０、液晶パネルや有機ＥＬ（Electro Luminescence）パネルからなる上面表示パネル３３などが設けられている。背面モニタ１０は、デジタルカメラ１の撮影結果などの表示をし、上面表示パネル３３は、デジタルカメラ１に設定されている撮影条件などの撮影情報を表示する。また、デジタルカメラ１は、操作部材として、図示しない電源スイッチ、撮影モードダイアル、および、メインコマンドダイアルなどを備えている。撮影モードダイアルは、遠景撮影や接写撮影といった撮影モードの選択などの際に操作される。メインコマンドダイアルは、撮影時の露出やシャッタースピードなどの撮影条件の設定の際に操作される。また、デジタルカメラ１は、操作部材として、図示しないメニューボタン、マルチセレクタ、および、決定ボタンなども備えている。メニューボタンは、背面モニタ１０に設定メニュー画面を表示させ、マルチセレクタは、背面モニタ１０に表示されるメニュー項目を選択する際などに操作される。決定ボタンは、マルチセレクタの操作によって選択されたメニュー項目などを決定させる。
【００１２】
交換レンズユニット２は、筐体３に着脱自在に構成されており、光学系を構成するレンズ５に加えて絞り６を備えている。また、この交換レンズユニット２には、レンズ５の焦点合わせをすると共に、絞り６を駆動するレンズ・絞り用駆動モータ７が設けられており、また、レンズ５の位置を認識するためのエンコーダ４が設けられている。また、このレンズ・絞り用駆動モータ７を駆動制御するためのレンズ・絞り用駆動制御回路８や、交換レンズユニット２の焦点距離、開放Ｆナンバー等のレンズ情報が記録された、図示しない記憶回路も設けられている。
【００１３】
筐体３の内部には、各回路の動作を司るＣＰＵ（Central Processing Unit）１１が設けられている。ＣＰＵ１１には、ＣＰＵ１１が種々の制御を行う際に参照される制御プログラムなどが格納された不揮発性メモリ３１が接続されている。被写体光はレンズ５を通って筐体３内に入射し、クイックリターンミラー１２により反射される。レンズ５を通ってできる画像は上下左右が逆さまになっているが、被写体光がクイックリターンミラー１２で反射することで、上下が正常な向きになる。クイックリターンミラー１２で反射した被写体光はさらにペンタプリズム１３で反射させられることで、左右も正常な向きとなり、撮影者はファインダー１６を介して被写体像を正位像として見ることができる。ペンタプリズム１３を通過した光の一部はハーフミラー１４によって反射され、測光部１５によって検出される。ＣＰＵ１１は、この測光部１５で検出した被写体光量に基づいて、レンズ・絞り用駆動制御回路８によってレンズ・絞り用駆動モーター７を駆動させ、絞り６の開口量を調節する。これにより、ＣＣＤ（Charge Coupled Devices）などからなる撮像素子１８に投影される被写体像の光量が、調節される。
【００１４】
また、クイックリターンミラー１２で反射されずにこれを通過した被写体光は、クイックリターンミラー１２のサブミラー１２ａによって反射され、焦点検出装置２１によって検出される。ＣＰＵ１１は、焦点検出装置２１の検出結果に基づき、レンズ５による被写体光の焦点状態を検出する。そして、検出した被写体光の焦点状態、および、交換レンズユニット２の記憶回路から送出されてレンズ情報回路２０に記憶されているレンズ情報等に基づいて、レンズ・絞り用駆動制御回路８によってレンズ・絞り用駆動モーター７を駆動させ、レンズ５を移動して、撮像素子１８に投影される被写体像の焦点を合わせるピント調節を行う。
【００１５】
デジタルカメラ１の撮影者がファインダー１６を介して被写体像を見ながら、シャッターボタン９を押すことにより、ＣＰＵ１１は、これを検出し、シャッター１７の幕を開く。ＣＰＵ１１は、さらに、レンズ５および絞り６を通過した被写体光によって撮像素子１８に得られる像を、撮像素子駆動回路１９によって撮像する。撮像素子１８および撮像素子駆動回路１９は、レンズ５で構成される光学系によって被写体光を集光して被写体を撮像して画像データを出力する撮像部を構成している。撮像素子駆動回路１９によって撮像された被写体像は、ＣＰＵ１１により、撮像信号として画像処理回路２８へ出力される。画像処理回路２８は、入力された撮像信号に対して所定のアナログ信号処理を施した後、デジタル信号に変換し、ホワイトバランス処理やガンマ補正といった所定の画像処理を行う。画像処理回路２８で画像処理された画像データは、ＣＰＵ１１の制御によってＲＡＭ（Random Access Memory）で構成される画像メモリ２９に一旦記録され、画像圧縮部３０によって圧縮される。画像圧縮部３０で圧縮された画像データは、画像表示回路２７によって背面モニタ１０に表示されると共に、カードインターフェイス２５の制御の下、不揮発性メモリからなるメモリーカード２６に格納される。カードインターフェイス２５は、ＣＰＵ１１によって制御され、メモリーカード２６に対する画像データの書き込みおよび読み出しの制御を行う。
【００１６】
また、ＣＰＵ１１には、ＬＥＤ（Light Emitting Diode）２３、ＰＳＤ（Position Sensitive Detector）２４、および姿勢センサ３２が接続されている。ＬＥＤ２３およびＰＳＤ２４は、図５において後述するように、撮像部を収納する筐体３からその前方斜め下方向の地面までの距離を測定する測定部を構成する。この測定部は、光軸を含む垂直な垂直面と光軸に直交する直交面とに交わり、垂直面の下方に向いた面を通る線を利用して所定面までの距離を算出する距離算出部に相当する。また、姿勢センサ３２は、レンズ５の光軸方向をｚ軸とし、このｚ軸に垂直な２方向をｘ軸、ｙ軸とした３軸の角度を測定することにより、筐体３の姿勢を検出する姿勢検出部を構成する。このような姿勢センサ３２は、例えば、その内部にボールが設けられて構成され、このボールの位置により１軸の回転角度を検出するセンサを３軸方向に３つ配置して検出したり、ジャイロ方式で３軸の回転角度を検出するセンサを用いてもよい。
【００１７】
背面モニタ１０は、筐体３の背面３ａに設けられている。背面モニタ１０の表示面１０ａは、撮像素子１８に被写体光を入射させるレンズ５の光軸方向に向いている。なお、背面モニタ１０は、筐体３に設けられ、第１方向に向けられた第１表示面を表示面１０ａとして有する第１表示部を構成する。上面表示パネル３３は、筐体３の上面３ｂに設けられている。上面表示パネル３３の表示面３３ａは、光軸に垂直な方向に向いている。なお、上面表示パネル３３は、筐体３に設けられ、第１方向とは異なる第２方向に向けられた第２表示面を表示面３３ａとして有する第２表示部を構成する。本実施形態では、第１表示面は、撮像部に被写体からの光を導く光学系の光軸に直交する面であり、第２表示面は、光軸に直交する面に対して略直交する面である。
【００１８】
図２は、デジタルカメラ１の筐体３の部分の上面図であり、同図に示すようにデジタルカメラ１の上面には、上記の上面表示パネル３３や、表示切り替えボタン３４等が設けられている。表示切り替えボタン３４は、必ずしもデジタルカメラ１の上面に配置されれる必要はないが、上面に配置される方が望ましい。なお、同図において図１と同一部には同一符号を付してその説明は省略する。
【００１９】
図３および図４は、上面表示パネル３３の表示面３３ａに表示される画面を示す図である。図３に示す画面には、上面表示パネル３３に表示し得る撮影情報がカラー表示されており、図４に示す画面には、撮像素子１８により撮像された画像３３ｂと撮影情報３３ｃとがカラー表示されている。なお、上面表示パネル３３は、必ずしもカラー表示をするものでなくでもよく、モノクロ表示をするものであってもよい。通常は上面表示パネル３３の表示面３３ａには図３に示す撮影情報が常時表示されている。表示切り替えボタン３４は、撮影画像表示、ライブビュー画像表示又は動画表示時に操作されることにより、上面表示パネル３３の表示面３３ａに表示される画像を図３に示す画像と図４に示す画像との間で切り替える。
【００２０】
図４に示す画像３３ｂは、背面モニタ１０に表示される画像と同じものであり、スルー画像を表示するライブビュー画像や動画撮影時の動画像等がある。また、撮影情報３３ｃとしては、同図に例示されるＡＦ合焦表示４０、測光モード表示４１および水準器表示４２等があり、これら以外の絞り値やシャッター速度等の必要な撮影情報が、図３に示す撮影情報から抜き出して表示される。なお、撮影情報３３ｃを上面表示パネル３３に表示させないようにし、画像３３ｂを大きく表示してもよい。ＡＦ合焦表示４０は、撮影時にピントがあったことを点灯表示で知らせてくれる。このように、ＡＦ合焦表示４０を表示領域の狭い画像３３ｂとは別に表示することにより、ＡＦ合焦表示４０が視認しやすくなる。測光モード表示４１には、多分割測光や中央部重点測光、スポット測光等の測光モードが表示される。水準器表示４２は、姿勢センサ３２の姿勢検出結果により、デジタルカメラ１の傾きを略図で表示している。この水準器表示４２は、光軸であるｚ軸に垂直なｘ軸、ｙ軸の２軸におけるデジタルカメラ１の傾き表示や、光軸の１軸まわりの表示、光軸を含む３軸表示などとして、表示する。
【００２１】
また、図１に示すＣＰＵ１１は、ＰＳＤ２４の測定結果および姿勢センサ３２の姿勢検出結果から筐体３の地面に対する高さを算出する算出部を構成している。この算出部は、所定面からの筐体３の高さを検出する高さ検出部を構成している。図５（ａ），（ｂ），（ｃ）は、この算出部によってデジタルカメラ１の地面に対する高さＬが算出される場合におけるデジタルカメラ１の側面図を示している。
【００２２】
同図（ａ）に示すように、測定部を構成するＬＥＤ２３およびＰＳＤ２４は、デジタルカメラ１の筐体３の下部の前方位置に斜めに設けられている。ＬＥＤ２３はデジタルカメラ１の前方斜め下方向の地面へ向けて光を出射し、ＰＳＤ２４は、ＬＥＤ２３から出射されて地面で反射した反射光を受光する。ＣＰＵ１１は、この反射光に基づいてデジタルカメラ１からその前方斜め下方向の地面までの距離Ｌａを測定する。なお、この測定部としてレーザや超音波等を使用して距離を測定する素子を用いてもよい。
【００２３】
ＬＥＤ２３およびＰＳＤ２４が上述したようにデジタルカメラ１の下部の前方位置に斜めに設けられているのは、これらがデジタルカメラ１の真下に向けて設けられていると、デジタルカメラ１を持つ撮影者自身や、デジタルカメラ１に取り付けられた三脚などによってＬＥＤ２３が出射する光が遮られ、距離Ｌａを測定できないためである。
【００２４】
また、デジタルカメラ１が傾いている場合でも、算出部によってデジタルカメラ１の地面に対する高さＬを正確に算出するために、姿勢センサ３２の姿勢検出結果が用いられる。この姿勢センサ３２により、例えば、同図（ｂ），（ｃ）に示すように、光軸のｚ方向に垂直なｙ方向と鉛直方向ｈとの成す角度θが検出される。ＣＰＵ１１は、この姿勢センサ３２が測定した姿勢検出結果である角度θとＰＳＤ２４によって測定された距離Ｌａとから、デジタルカメラ１の地面に対する高さＬを算出する。ＣＰＵ１１は、撮像素子１８により撮像された画像を、背面モニタ１０と上面表示パネル３３とのどの表示部に表示するかを算出部の算出結果に基づいて決定する制御部を構成しており、撮像素子１８により撮像された画像を、背面モニタ１０か上面表示パネル３３のいずれか一方、または双方に表示する。つまり、制御部は、高さ検出部が検出した高さに応じて、撮像部から出力された画像データに基づく画像を背面モニタ１０および上面表示パネル３３の少なくとも一方に表示する。本実施形態では、制御部は、算出部により算出された高さＬが所定の範囲内、例えば３［ｃｍ］〜５０［ｃｍ］の範囲内にある場合、撮像素子１８により撮像された画像を少なくとも上面表示パネル３３に表示する。なお、制御部は、高さ検出部が検出した高さが所定の高さ以上である場合には画像を背面モニタ１０に表示し、高さ検出部が検出した高さが所定の高さよりも低い場合は画像を上面表示パネル３３に表示する構成であってよい。この場合、制御部は、高さ検出部が検出した高さが所定の高さ以上である場合には、撮影に関する撮影情報３３ａを表示する図３に示す第１表示形態で上面表示パネル３３に表示し、高さ検出部が検出した高さが所定の高さよりも低い場合には、画像３３ｂを表示する図４に示す第２表示形態で上面表示パネル３３に表示する。ここで、第１表示形態と第２表示形態との切り替えは、表示切り替えボタン３４を用いて使用者が指示する。表示切り替えボタン３４は指示部を構成している。また、上面表示パネル３３の表示面３３ａが光軸のｚ軸方向に垂直なｙ方向から所定角度以上マイナス方向に傾き、図５（ｃ）に示すようにデジタルカメラ１の姿勢が交換レンズユニット２が下方向を向いた姿勢になっていることが、姿勢センサ３２の検出角度θによって検出された場合、撮像素子１８により撮像された画像を少なくとも背面モニタ１０に表示する。つまり、デジタルカメラ１は、距離算出部が算出した距離を姿勢センサ３２が検出した姿勢に基づいて補正する補正部を備え、高さ検出部は、距離算出部が算出した距離を姿勢センサ３２が検出した姿勢に基づいて補正部が補正した距離を、所定面からの筐体３の高さとして検出する。
【００２５】
図６は、撮影画像表示、ライブビュー画像表示又は動画表示時に撮像素子１８により撮像された画像をどの表示部に表示するかをＣＰＵ１１によって決定する表示部決定処理の概略を示すフローチャートである。
【００２６】
この表示部決定処理では、ＣＰＵ１１は、ステップ（Ｓ）１において、ＬＥＤ２３から前方斜め下方の地面に向けて光を出射させ、ＰＳＤ２４でその反射光を受光することで、デジタルカメラ１からその前方斜め下方向の地面までの距離Ｌａを測定する。次に、ＣＰＵ１１は、Ｓ２において、姿勢センサ３２からの出力によりデジタルカメラ１の傾く角度θ（図５（ｂ）、（ｃ）参照）を測定する。そして、Ｓ３において、Ｓ１における距離Ｌａの測定結果およびＳ２における姿勢センサ３２による角度θの検出結果から、デジタルカメラ１の地面に対する高さＬを算出する。
【００２７】
次に、ＣＰＵ１１は、ステップ４において、高さＬが算出されたか否かを判別する。ＬＥＤ２３の光出射方向が水平より上の宙を向いており、ＬＥＤ２３の出射する光が地面に到達しない場合、ＰＳＤ２４はその反射光を検出できず、デジタルカメラ１の前方斜め下方向の地面までの距離Ｌａが測定できないため、ＣＰＵ１１は高さＬを算出できない。この場合、Ｓ４の判別は“ＮＯ”になり、Ｓ５において、ＣＰＵ１１は、背面モニタ１０に、撮像素子１８により撮像された画像を表示する。つまり、高さ検出部により高さが検出されない場合には、制御部は画像を背面モニタ１０に表示する。
【００２８】
また、高さＬが算出されてＳ４の判別が“ＹＥＳ”の場合、ＣＰＵ１１は、Ｓ６において、算出されたデジタルカメラ１の地面に対する高さＬが、３［ｃｍ］から５０［ｃｍ］の所定の範囲内（３＜Ｌ＜５０）にあるか否かを判別する。ここで、５０［ｃｍ］とは撮影者の膝下程度の高さである。高さＬがこの所定の範囲になくてＳ６の判別が“ＮＯ”の場合、ＣＰＵ１１は、Ｓ５で、背面モニタ１０に、撮像素子１８により撮像された画像を表示する。このため、デジタルカメラ１の高さＬが０〜３［ｃｍ］の範囲内にあって極端に低い場合、例えば、ＬＥＤ２３の出射する光がデジタルカメラ１を持つ撮影者の手に当たっている場合や、デジタルカメラ１の置いてある机等に当たっている場合、撮像素子１８により撮像された画像の表示は、背面モニタ１０に表示されて上面表示パネル３３に切り替えられることはない。
【００２９】
高さＬが所定の範囲にあってＳ６の判別が“ＹＥＳ”の場合、ＣＰＵ１１は、ステップ７において、姿勢センサ３２によりＳ２で検出された角度θが図５（ｃ）に示すマイナス方向で４５°より大きいか（θ＞４５°）否かを判別する。この判別が“ＹＥＳ”の場合、つまり、上面表示パネル３３の表示面３３ａが、ｚ軸方向に垂直なｙ方向からマイナス方向で４５°以上傾き、撮影者から見難くなっていることが姿勢センサ３２によって検出された場合、ＣＰＵ１１は、Ｓ５で、撮像素子１８により撮像された画像を撮影者から見易い背面モニタ１０に表示する。例えば、デジタルカメラ１を下に向けて地面近くの被写体を撮影する場合、図５（ｃ）に示すように背面モニタ１０は天空部を向いて、θはマイナス９０°に近くなり、この場合、ＣＰＵ１１は、Ｓ５において、撮影者が視認できる背面モニタ１０に撮像素子１８により撮像された画像を表示する。一方、デジタルカメラ１がマイナス方向で４５°以上傾いていないか、または図５（ｂ）に示すように上を向いており、角度θがＳ４で高さＬが算出し得るプラスの範囲にあると、ステップ７の判別は“ＮＯ”となり、撮影者は、背面モニタ１０を視認し難くなり、上面表示パネル３３を視認し易くなる。このため、ＣＰＵ１１は、デジタルカメラ１を低い位置に移動してローアングルで、かつ、デジタルカメラ１を角度θがマイナス４５°以上になるまで下に向けないで撮影を行うものと判断し、ステップ８において、撮像素子１８により撮像された画像を上面表示パネル３３に表示する。ここで、ＣＰＵ１１は、撮像素子１８により撮像された画像を上面表示パネル３３に表示している場合、背面モニタ１０の表示を消灯する。
【００３０】
このような本実施形態によるデジタルカメラ１によれば、図６，Ｓ３で、算出部により、ＰＳＤ２４の測定結果および姿勢センサ３２の姿勢検出結果から筐体３の地面に対する高さＬが算出され、この算出結果に基づいて制御部により、Ｓ６において、撮像素子１８により撮像された画像をどの表示部に表示するかが決定される。つまり、撮影者がデジタルカメラ１を構える高さＬの違いに応じて、撮像素子１８により撮像された画像を表示する表示部が、レンズ５の光軸方向に向いている背面モニタ１０と、光軸に垂直な方向に向いている上面表示パネル３３とから選択される。従って、撮影者がデジタルカメラ１を構える高さＬの違いに応じて、撮像素子１８により撮像された画像を表示する表示部が決定され、Ｓ５またはＳ８の処理で、撮影者の視点から表示部を見ることができる最適な位置の表示部に、自動的に撮影画像を表示させることができる。このため、撮影者がデジタルカメラ１を構える高さＬが変わっても、被写体像を背面モニタ１０または上面表示パネル３３の表示部で確認しながら撮影を行えるため、表示部で所望の構図を取って撮影を行うことが可能になる。
【００３１】
また、本実施形態によるデジタルカメラ１によれば、算出部により算出されたデジタルカメラ１の高さＬが所定の範囲内のローアングルにあるとＳ６で判別された場合、制御部により、Ｓ８において、少なくとも上面表示パネル３３に、撮像素子１８により撮像された画像が表示される。このため、撮影者は、地面に近い低い位置にある被写体を撮影するため、背面方向を向いている背面モニタ１０をみることができない、高さＬが所定の範囲内にある低い位置にデジタルカメラ１を移動しても、撮影者が視認可能な上方向を向いている上面表示パネル３３に表示された被写体像を見ることができるため、上面表示パネル３３で所望の構図を取って撮影することが可能である。また、デジタルカメラ１の筐体３の下方に当てている撮影者の手や、デジタルカメラ１の筐体３を置いている台等がＬＥＤ２３およびＰＳＤ２４で測定されて、算出部により算出された高さＬが所定の範囲から外れて所定の範囲よりも低い場合に、制御部により、撮像素子１８により撮像された画像が上面表示パネル３３に表示されることなく、Ｓ５において背面モニタ１０に表示されることで、撮影者は背面モニタ１０で被写体像を確認して構図を取ることができる。
【００３２】
また、本実施形態によるデジタルカメラ１によれば、Ｓ２において姿勢センサ３２で検出された角度θにより、上面表示パネル３３の表示面３ａが光軸方向に垂直なｙ方向から所定角度以上傾いていることがＳ７で検出されると、制御部は、Ｓ５において、撮像素子１８により撮像された画像を少なくとも背面モニタ１０に表示する。従って、デジタルカメラ１を低い位置に移動してローアングルで撮影を行う場合に、デジタルカメラ１の上方向を向いていた上面表示パネル３３が図５（ｃ）に示す下向きに所定角度以上傾いて、撮影者から上面表示パネル３３を見ることができなくなっても、Ｓ５において、撮影者が視認することができる背面モニタ１０に被写体像が表示される。このため、撮影者は、上面表示パネル３３が所定角度以上傾いて、撮影者から上面表示パネル３３を見ることができなくなっても、撮像素子１８により撮像された画像を背面モニタ１０で確認しながら撮影を行えるため、所望の構図を取って撮影を行うことができる。
【００３３】
また、本実施形態によるデジタルカメラ１によれば、図４に示すように、撮像素子１８により撮像された画像３３ｂおよび撮像情報３３ｃが、上面表示パネル３３の表示面３３ａに表示される。このため、撮影者は、撮影時に、上面表示パネル３３に表示される画像３３ｂから被写体像を確認できると同時に、撮影情報３３ｃから種々の撮影条件を確認できるため、撮影の利便性が向上する。
【００３４】
また、本実施形態によるデジタルカメラ１によれば、撮像素子１８により撮像された画像がＳ８で上面表示パネル３３に表示されている場合、背面モニタ１０は制御部によって消灯される。このため、撮影者が見ることができない背面モニタ１０に画像が表示され続けてしまうことで、デジタルカメラ１が無駄に電力を消費することを防止することができる。
【００３５】
なお、撮像素子１８により撮像された画像が図６、Ｓ８で上面表示パネル３３に表示された際に、デジタルカメラ１の設定に応じて、背面モニタ１０が消灯せずに撮影画像を表示する構成、または、デジタルカメラ１の設定に応じて、背面モニタ１０が、撮像素子１８により撮像された画像を、Ｓ６やＳ７のデジタルカメラ１の地面に対する高さＬの判別結果や姿勢の判別結果に関係なく、常に表示し続ける構成であってもよい。
【００３６】
また、本実施形態では、第２の表示部が上面表示パネル３３であり、その表示面３３ａは、光軸に垂直なｙ方向を第２の方向として向いている構成であったが、第２の表示部は、デジタルカメラ１の上面３ｂ以外の位置、例えば側面、下面、前面などに設けられている構成であってもよい。例えば、第２の表示部がデジタルカメラ１の下面に設けられている場合、撮影者がデジタルカメラ１を頭上の高い位置に持ち上げてハイアングルで撮影を行い、背面モニタ１０を視認できない場合でも、デジタルカメラ１の下部に設けられた撮影者が視認できる第２の表示部に撮像素子１８により撮像された画像が表示されるため、第２の表示部で所望の構図を取って撮影を行うことが可能になる。
【００３７】
また、第２の表示部が、デジタルカメラ１の複数の箇所に設けられている構成、例えば、デジタルカメラ１の上面と側面とに設けられている構成や、背面モニタ以外の５面すべてに設けられている構成としてもよい。この構成によっても、上記実施形態と同様な作用効果が奏される。
【００３８】
また、デジタルカメラ１の地面に対する高さＬが低くなるにつれて、撮像素子１８により撮像された画像が、最初は背面モニタ１０のみに表示され、高さが所定の範囲で背面モニタ１０と上面表示パネル３３との両方に表示され、さらに高さＬが距離が低くなると、上面表示パネル３３のみに表示される構成であってもよい。
【００３９】
また、デジタルカメラ１の地面に対する高さＬや姿勢に関係なく、撮像素子１８により撮像された画像が背面モニタ１０と上面表示パネル３３の両方に常に表示される構成であってもよい。
【００４０】
上記実施形態においては、本発明をデジタルカメラに適用した場合について説明したが、ビデオカメラ、携帯電話等のその他の撮像装置にも適用することが可能である。このような撮像装置に本発明を適用した場合においても、上記実施形態と同様な作用効果が奏される。
【符号の説明】
【００４１】
１…デジタルカメラ
２…交換レンズユニット
３…筐体
３ａ…背面
３ｂ…上面
４…エンコーダ
５…レンズ
６…絞り
７…レンズ・絞り用駆動モータ
８…レンズ・絞り用駆動制御回路
９…シャッターボタン
１０…背面モニタ
１０ａ…表示面
１１…ＣＰＵ
１７…シャッター
１８…撮像素子
１９…撮像素子駆動回路
２０…レンズ情報回路
２１…焦点検出装置
２３…ＬＥＤ
２４…ＰＳＤ
３１…不揮発性メモリ
３２…姿勢センサ
３３…上面表示パネル
３３ａ…表示面
３３ｂ…画像
３３ｃ…撮影情報
３４…表示切り替えボタン
【図１】
2010200272.tif 000003
【図２】
2010200272.tif 000004
【図３】
2010200272.tif 000005
【図４】
2010200272.tif 000006
【図５】
2010200272.tif 000007
【図６】
2010200272.tif 000008